(57)【要約】【課題】往き管と戻り管とが断熱体で覆われた温水暖房用配管において、設置した温水暖房用配管の長さ方向に沿った任意の部分だけ信号線を配置することができ、移送される温水の熱によって往き管または戻り管が伸縮する場合であっても配置された信号線が断線することを防止することができる温水暖房用配管を提供する。【解決手段】往き管６と戻り管７とを一対とした通水管を断熱体８で覆った温水暖房用配管２において、断熱体８の外面１１には温水暖房システムである浴室暖房乾燥システム１を制御するための信号線１２が収容される収容部１３が形成される。【選択図】図２
2013167262.tif 000002
【特許請求の範囲】
【請求項１】
往き管と戻り管とを一対とした通水管を断熱体で覆った温水暖房用配管において、断熱体の外面には温水暖房システムを制御するための信号線が収容される収容部が形成されることを特徴とする温水暖房用配管。
【請求項２】
断熱体はシート状に形成されたシート部材の端部間を接合してホース状に形成されており、収容部は断熱体の外面に形成され信号線が収容される凹部と、凹部の開口部を覆うテープとを備えていることを特徴とする請求項１に記載の温水暖房用配管。
【発明の詳細な説明】
【技術分野】
【０００１】
本発明は、暖房に供されるために熱源機で暖められた温水を移送させるための温水暖房用配管に関する。
【背景技術】
【０００２】
特許文献１には、熱源機で暖めた温水を床下に移送して床暖房をする温水暖房システムが記載されている。特許文献１に記載されているところの、温水を移送する温水暖房用配管４１の構成を図１０に示す。４２は往き管、４３は戻り管で、これら往き管４２と戻り管４３とは架橋ポリエチレン管で形成され、隣り合って並んだ状態でテープ４４で巻かれて束ねられる。テープ４４としてアルミ箔とポリエチレンテレフタレート層とが積層されたものが用いられる。
【０００３】
束ねられた往き管４２と戻り管４３との横断面は８の字形であり、テープ４４は、巻き姿の横断面が長円形となるように、往き管４２と戻り管４３とを束ねる。束ねられたときの横断面が８の字形の往き管４２・戻り管４３と、巻き姿の横断面が長円形のテープ４４との間には、横断面が略三角形である２つの空間４５，４５が形成される。空間４５，４５のうちのどちらか一方に、ガス温水暖房システムを制御するための信号線４６が配置される。信号線４６が配置されテープ４４で巻き束ねられた往き管４２と戻り管４３とは、ポリエチレン製の蛇腹管であるさや管４７の内部に挿通される。
特許文献１に記載の温水暖房用配管４１では、往き管４２と戻り管４３とがポリエチレン製の蛇腹管に挿通されているが、往き管４２と戻り管４３とをポリエチレンフォームなどで覆って断熱効果を高める場合がある。
【先行技術文献】
【特許文献】
【０００４】
【特許文献１】特開平１１−１０８２９０号公報
【発明の概要】
【発明が解決しようとする課題】
【０００５】
特許文献１に記載の温水暖房用配管４１では、架橋ポリエチレン管で形成された往き管４２と戻り管４３とが、移送される温水の熱によって伸縮するとき、銅製の導線を含み空間４５に配置された信号線４６は、往き管４２と戻り管４３とに追随して伸縮することができず断線することがある。往き管４２と戻り管４３とはポリエチレン製の蛇腹管に挿通されているが、往き管４２と戻り管４３とをポリエチレンフォームなどで覆った場合も同様である。
【０００６】
また、信号線４６は、予め空間４５に配置された状態で往き管４２・戻り管４３とともにさや管４７の内部に挿通されるので、往き管４２・戻り管４３と一体化された状態となっている。このため、設置された温水暖房用配管４１の長さ方向に沿った任意の一部分だけ信号線４６を配置することができない。
【０００７】
本発明の目的は、このような課題を解決するもので、往き管と戻り管とが断熱体で覆われた温水暖房用配管において、設置した温水暖房用配管の長さ方向に沿った任意の部分だけ信号線を配置することができ、移送される温水の熱によって往き管または戻り管が伸縮する場合であっても配置された信号線が断線することを防止することができる温水暖房用配管を提供することである。
【課題を解決するための手段】
【０００８】
この課題を解決するために請求項１に係る発明は、往き管と戻り管とを一対とした通水管を断熱体で覆った温水暖房用配管において、断熱体の外面には温水暖房システムを制御するための信号線が収容される収容部が形成されるものである。
【０００９】
請求項２に係る発明では、断熱体はシート状に形成されたシート部材の端部間を接合してホース状に形成されており、収容部は断熱体の外面に形成され信号線が収容される凹部と、凹部の開口部を覆うテープとを備えている。
【発明の効果】
【００１０】
信号線は断熱体の外面に形成された収容部に収容されるだけで、何物にも拘束されずに断熱体の外面に沿って設置することができ、また、断熱体の外面から自由に取り外すことができる。このため、設置した温水暖房用配管の長さ方向に沿った所要の部分だけ信号線を配置することができる。また、信号線は何物にも拘束されずに収容部に収容されているだけであるため、移送される温水の熱によって往き管または戻り管が伸縮する場合であっても、配置された信号線が断線することを防止することができる。
【図面の簡単な説明】
【００１１】
【図１】本発明の第１の実施の形態に係る浴室暖房乾燥システム１の構成を示す概略図である。
【図２】温水暖房用配管の構造を示す図である。
【図３】断熱体の構造を示す図である。
【図４】外面にフィルムが貼られた断熱体の横断面図である。
【図５】外面と内面とにフィルムが貼られた断熱体の横断面図である。
【図６】本発明の第２の実施の形態に係る断熱体の横断面図である。
【図７】断熱体を形成する２つのシートを接合した状態の横断面図である。
【図８】断熱体の横断面図である。
【図９】断熱体を形成する２つのシートを接合した状態の横断面図である。
【図１０】従来の温水暖房用配管の構造を示す図である。
【発明を実施するための形態】
【００１２】
以下、本発明の第１の実施の形態について図１〜図５に基づいて説明する。図１は浴室暖房乾燥システム１の構成を示す概略図である。図２（ａ）は温水暖房用配管２の横断面図である。図２（ｂ）は温水暖房用配管２の構成を示す図である。図２（Ｃ）は信号線１２が収容された収容部１３の詳細図である。図３（ａ）は断熱体８の横断面図であり、図３（ｂ）は断熱体８の構成を示す図である。図４は外面にフィルム１８が貼られた断熱体８の横断面図である。図５は外面にフィルム１８が貼られ内面にフィルム１６が貼られた断熱体８の横断面図である。
【００１３】
浴室暖房乾燥システム１は、前述の床暖房の設備と同様に本発明の温水暖房用配管２が用いられるものであるが、熱源機３で加熱された温水を利用して浴室４に温風を送り、浴室４の暖房や浴室４に干した洗濯物の乾燥を行う。温水は温水暖房用配管２を介して浴室暖房乾燥機５に送られる。なお１９はリモコンであり、２０は漏電ブレーカに接続される電気配線である。
【００１４】
温水暖房用配管２は、熱源機３からの温水を浴室暖房乾燥機５に供給する往き管６と、浴室暖房乾燥機５の内部を循環した水を熱源機３に戻す戻り管７とを備える。往き管６・戻り管７として架橋ポリエチレン管が用いられる。往き管６と戻り管７とは、隣り合わせに並んだ状態で断熱体８に収納される。断熱体８は、たとえばポリエチレンフォームを用いて形成される。細長なシート状のポリエチレンフォームが丸められて、その長手方向に沿った側面９，９間が熱融着によって接合され、細長なホース状の断熱体８が形成される。断熱体８には、接合部である熱融着部１０が長手方向に沿って形成される。
【００１５】
断熱体８の外面１１には浴室暖房乾燥システム１を制御するための信号線１２を収容する収容部１３が形成される。収容部１３は断熱体８の外面１１に形成されるＶ字状の凹部１４と、凹部１４の開口部を覆うテープ１５とを備える。凹部１４は、断熱体８が熱融着されてホース状に形成される前の細長なシート状のポリエチレンフォームにおいて、断熱体８の長手方向に沿って直線状の切り込みを設けることによって形成される。ポリエチレンフォームの側面９，９間が熱融着されてホース状の断熱体８が形成されると、直線状の切り込みは押し広げられてＶ字状に開口する。凹部１４は、工事現場においてカッターナイフなどを用いて、ホース状に形成された断熱体８に直線状の切り込みを入れて簡単に形成することもできる。
【００１６】
信号線１２を断熱体８の外面１１に形成された収容部１３に収容して、温水暖房用配管２の長さ方向に沿った所要の部分だけ信号線１２を配置することができる。また、信号線１２は何物にも拘束されずに収容部１３に収容されているだけであるため、移送される温水の熱によって往き管６または戻り管７が伸縮する場合であっても、配置された信号線１２が断線することを防止することができる。
【００１７】
断熱体８の内部に往き管６と戻り管７とが挿入されるが、このとき断熱体８の一端部を塞いで断熱体８の内部にエアを送り込むと、断熱体８の内部空間が広くなるので、往き管６と戻り管７とをスムーズに挿入することができる。また、往き管６と戻り管７との一端部側から順番にシート状のポリエチレンフォームを丸めて覆って行き、丸めて覆ったところのポリエチレンフォームを順番に熱融着して断熱体８を形成することもできる。この場合には、断熱体８を形成した後に、往き管６と戻り管７とを断熱体８に挿入しなくてもよいので、手間を省くことができる。
【００１８】
なお、断熱体８の内面には、断熱体８と同じ材質であるポリエチレンのフィルム１６が貼られている。フィルム１６の厚みは、たとえば５０μｍとされる。断面Ｖ字状に形成された凹部１４の底部から断熱体８の内面側に向かって割れが生じる場合があるが、断熱体８の内面にフィルム１６を貼ることによって、割れが断熱体８の内面に到達して断熱体８が破断することを防止することができる。
【００１９】
図４に示すように、断熱体８と同じ材質であるポリエチレンのフィルム１８を断熱体８の外面に貼ることもできる。フィルム１６の厚みは、たとえば５０μｍとされる。フィルム１８を断熱体８の外面に貼ることによって断熱体８に傷が付くことを防止することができる。
【００２０】
図５に示すように、断熱体８の外面にフィルム１８を貼るとともに断熱体８の内面にフィルム１６を貼ることもできる。この場合には、断熱体８が傷付くことを防止することができるとともに、凹部１４の底部から断熱体８の内面側に向かって割れが生じた場合であっても割れが断熱体８の内面に到達して断熱体８が破断することを防止することができる。
【００２１】
本発明の第２の実施の形態について図６および図７に基づいて説明する。図６は断熱体２１の横断面図である。図７はシート２３にシート２２を接合した状態の横断面図である。第１の実施の形態についての説明と重複する部分については説明を省略し同一の参照符を用いる。本実施形態に係る断熱体２１は、ポリエチレンフォームのシート２２とポリプロピレンフォームのシート２３とが接合された状態で用いられる。断熱性に優れたポリエチレンフォームのシート２２が断熱体２１の外面側に接合され、ポリプロピレンフォームのシート２３が断熱体２１の内面側に配置される。
【００２２】
図７に示すようにシート２３を覆うようにシート２２が接合される。シート２２には、シート２２がホース状に接合されたときシート２２を長さ方向に沿って分割する切り込み２５が形成されている。シート２３の側面２４，２４間が熱融着されるとともにシート２２の側面２６，２６間が熱融着されてホース状の断熱体２１が形成される。シート２２の切り込み２５は拡げられてＶ字状の凹部２７が形成される。凹部２７と、凹部２７の開口部に設けられ凹部２７を覆うテープ１５とで信号線１２を収容する収容部２８が形成される。
【００２３】
断熱体２１の内面側にポリプロピレンフォームのシート２３を設けることによって耐熱性に優れた断熱体とすることができる。また、複数のシート２２，２３を接合して断熱体２１を形成するので、厚みが薄いシートを用いることができコスト削減を図ることができる。
【００２４】
図示しないが断熱体２１のシート２２と同じ材質であるポリエチレンのフィルムを断熱体２１の外面に貼ることもできる。フィルムの厚みは、たとえば５０μｍとされる。フィルムを断熱体２１の外面に貼ることによって断熱体２１が傷付くことを防止することができる。
【００２５】
本発明の第３の実施の形態について図８および図９に基づいて説明する。図８は断熱体３１の横断面図である。図９はシート２３にシート２２を接合した状態の横断面図である。図９に示すように、２分割されたシート２２は、端面３４，３４間に隙間Ｗを設けた状態でシート２３に接合される。隙間Ｗはシート２３の幅方向中央部に形成される。シート２３の側面２４，２４間が熱融着されるとともにシート２２の側面２６，２６間が熱融着されてホース状の断熱体３１が形成され、隙間Ｗによって断面Ｕ字状の凹部３２が形成される。凹部３２と、凹部３２の開口部に設けられ凹部３２を覆うテープ１５とで信号線１２を収容する収容部３３が形成される。
【００２６】
熱源機３で加熱された温水を浴室暖房乾燥機５に送る温水暖房用配管２に信号線１２を配置する場合について説明したが、これに限定されるものではない。たとえば、熱源器で暖めた温水を床下に移送して床暖房をする温水暖房用配管であってもよい。
【００２７】
このように、往き管６と戻り管７とを一対とした通水管を断熱体８で覆った温水暖房用配管２において、断熱体８の外面１１には温水暖房システムである浴室暖房乾燥システム１を制御するための信号線１２が収容される収容部１３が形成されており、信号線１２を断熱体８の外面１１に形成された収容部１３に収容して、温水暖房用配管２の長さ方向に沿った所要の部分だけ信号線１２を配置することができる。信号線１２は何物にも拘束されずに収容部１３に収容されているだけであるため、移送される温水の熱によって往き管６または戻り管７が伸縮する場合であっても、配置された信号線１２が断線することを防止することができる。
【００２８】
さらに、断熱体８はシート状に形成されたシート部材であるシート状のポリエチレンフォームの端部間である側面９，９を接合してホース状に形成されており、収容部１３は外面１１に形成された凹部１４と、凹部１４の開口部を覆うテープ１５とを備えているので、信号線１２を凹部１４に入れ込み、信号線１２を入れ込んだ凹部１４をテープ１５で覆って、信号線１２を確実に収容することができる。
【符号の説明】
【００２９】
１    浴室暖房乾燥システム
２    温水暖房用配管
３    熱源機
４    浴室
５    浴室暖房乾燥機
６    往き管
７    戻り管
８，２１，３１    断熱体
９，２４，２６    側面
１０    熱融着部
１１    外面
１２    信号線
１３，２８，３３    収容部
１４，２７，３２    凹部
１５    テープ
１６，１８    フィルム
１９    リモコン
２０    電気配線
２２，２３    シート
２５    切り込み
３４    端面
【図１】
2013167262.tif 000003
【図２】
2013167262.tif 000004
【図３】
2013167262.tif 000005
【図４】
2013167262.tif 000006
【図５】
2013167262.tif 000007
【図６】
2013167262.tif 000008
【図７】
2013167262.tif 000009
【図８】
2013167262.tif 000010
【図９】
2013167262.tif 000011
【図１０】
2013167262.tif 000012